(57)【要約】  本願は、簡易な構成でレーザ光の回折状態を調整する保持体等を提供する。  本願の保持体は、光ピックアップＰのベース２に取り付けられる回折格子４１の保持体１５であって、保持体１５は、本体１６と、本体１６に対して回折格子４１を回転可能に保持する第１の保持手段１５ａと、本体１６をベース２に対して移動可能に保持する第２の保持手段１７、１９と、本体１６をベース２に対して移動させるために用いられる本体移動手段１８、１８ａと、を具備する。
2007114004.tif 000002
【特許請求の範囲】
【請求項１】
光ピックアップのベースに取り付けられる回折格子の保持体であって、
前記保持体は、
本体と、
前記本体に対して前記回折格子を回転可能に保持する第１の保持手段と、
前記本体を前記ベースに対して移動可能に保持する第２の保持手段と、
前記本体を前記ベースに対して移動させるために用いられる本体移動手段と、
を具備することを特徴とする保持体。
【請求項２】
前記第２の保持手段は、
前記回折格子が前記本体に保持された状態で、前記回折格子の中心方向に前記回折格子を付勢する付勢手段を、更に具備していることを特徴とする請求項１に記載の保持体。
【請求項３】
請求項１、又は２に記載の保持体を含むピックアップ装置。
【請求項４】
請求項１に記載の保持体を用いて、レーザ光に対する回折格子の位置を調整する回折格子の位置調整方法であって、
前記本体をベースに対して移動させる回折格子移動工程と、
前記回折格子を回転させる回折格子回転工程と、
を含むことを特徴とする回折格子の位置調整方法。
【発明の詳細な説明】
【技術分野】
【０００１】
本願は、光ピックアップに配置される回折格子を移動可能に保持する保持体等に関する。
【背景技術】
【０００２】
従来から、ＣＤ（Compact Disc）やＤＶＤ（Digital Versatile Disc）等の規格に対応した光学媒体を記録又は再生等する情報記録再生装置が知られている。【０００３】
当該情報記録再生装置は、光ピックアップを備えており、当該光ピックアップは、レーザ光を光学媒体に対して出射するレーザダイオード（以下、「ＬＤ」と称する。）や光学媒体から反射された反射光を受光する受光素子などを備えている。そして、情報記録再生装置は、光学媒体にレーザ光を照射して集光させるとともに、当該光学媒体から反射されたレーザ光を反射光として受光して、光学媒体に情報を記録、又は光学媒体から情報を読み出して再生などを行うようになっている。【０００４】
当該光ピックアップにおいて、レーザ光の光路上には、当該レーザ光を回折させる回折格子が配置され、当該回折格子はホルダなどによってレーザ光の軸回りを回動可能に取り付けられており、当該回折格子を回動することによって、レーザ光の回折状態を調整することが可能になっている。なお、当該ホルダはベースに対して固定して取り付けられている。【０００５】
また、一般的に光ピックアップの製造過程において、ホルダは、部品精度に頼って予め規定された位置に接着剤などで固定して取り付けられており、回折格子をベースに対して移動させる回折格子の位置調整などは行っていなかった。
【発明の開示】
【発明が解決しようとする課題】
【０００６】
しかしながら良好な回折状態を得るべくレーザ光を回折格子の中心に合わせたいという要求がある。【０００７】
また、近年、ＤＶＤ−ＲＡＭなど一部の光学媒体に対応させるため、光学媒体の半径方向でレーザ光の照射位置を微調整する必要性が生じている。【０００８】
そこで、このような課題の一例を解消するために、本願は、簡易な構成でレーザ光の回折状態を調整する保持体等を提供することを目的とする。
【課題を解決するための手段】
【０００９】
上述した課題を解決するため、本願請求項１に記載の保持体は、光ピックアップ（Ｐ）のベース（２）に取り付けられる回折格子（４１）の保持体（１５）であって、前記保持体は、本体（１６）と、前記本体に対して前記回折格子を回転可能に保持する第１の保持手段（１５ａ）と、前記本体を前記ベースに対して移動可能に保持する第２の保持手段（１７、１９）と、前記本体を前記ベースに対して移動させるために用いられる本体移動手段（１８、１８ａ）と、を具備することを特徴とする。【００１０】
また、本願請求項３に記載のピックアップ装置は、請求項１、又は２に記載の保持体を含むピックアップ装置であることを特徴とする。【００１１】
さらに、本願請求項４に記載の回折格子の位置調整方法は、請求項１、又は２に記載の保持体を用いて、レーザ光に対する回折格子の位置を調整する回折格子の位置調整方法であって、前記本体をベースに対して移動させる回折格子移動工程と、前記回折格子を回転させる回折格子回転工程と、を含むことを特徴とする。
【図面の簡単な説明】
【００１２】
【図１】光ピックアップの概略構造図である。
【図２】回折格子を空間部に取り付けた際の状態を示す断面図である。
【図３】保持体の構造を示し、図３（ａ）は正面斜視図、図３（ｂ）は背面斜視図である。
【図４】回折格子の構造を示し、図４（ａ）は正面斜視図、図４（ｂ）は背面斜視図である。
【図５】回折格子を保持体に組み付けた際の状態を示し、図５（ａ）は正面斜視図、図５（ｂ）は背面斜視図である。
【図６】回折格子の位置を調整する際の説明図である。
【図７】保持体の他の実施形態を示す構造図である。
【符号の説明】
【００１３】
Ｐ  光ピックアップ
２  ベース
１５  保持体
１５ａ  開口
１６  本体
１８  下部内側折り曲げ片
１８ａ  溝部
１９  下部外側折り曲げ片
４０  回折格子ＡＳＳＹ
４１  回折格子
【発明を実施するための最良の形態】
【００１４】
以下、本願の最良の実施形態について、図１乃至図７を用いて詳細に説明する。図１は光ピックアップの概略構造図、図２は回折格子を空間部に取り付けた際の状態を示す断面図、図３は保持体の構造図、図４は回折格子の構造図、図５は回折格子を保持体に組み付けた際の状態を示す図、図６は回折格子の位置を調整する際の説明図、図７は保持体の他の実施形態を示す構造図である。また、理解しやすいように、図面中、上下左右方向をＸ、Ｙ及びＺ方向で表しているが、これにより構成部品の方向が限定されるものではない。【００１５】
なお、本願の保持体１５は、ＣＤやＤＶＤ等の規格に対応した光学媒体を記録又は再生等する情報記録再生装置の光ピックアップＰに配置される。具体的には、保持体１５は、光ピックアップＰから出射されるレーザ光の光路上に配置される回折格子４１を光ピックアップＰのベース２に対して取り付ける際に用いられるものである。【００１６】
―光ピックアップの構成等―
光ピックアップＰは、レーザ光を出射するＬＤ、レーザ光を回折させる回折格子、レーザ光を偏向する偏向ビームスプリッタ、レーザ光の平行度を調整するコリメータレンズ、レーザ光を集光させ光学媒体に照射する対物レンズ、光学媒体からの反射光を受光する受光素子、などの構成部品Ｂを備えて構成され、当該構成部品Ｂは、図１に示すように、ベース２に取り付けられている。【００１７】
ベース２には構成部品Ｂを取り付けるための空間部４が形成されており、当該空間部４に構成部品Ｂがそれぞれ予め規定された位置に取り付けられている。また、ベース２の内部には、ＬＤから出射されるレーザ光が通過する光路が形成されており、当該光路上には、各構成部品Ｂが配置されている。【００１８】
図２に示すように、所定の空間部４には、保持体１５によって、回折格子４１を保持する回折格子ＡＳＳＹ４０が空間部４を形成する一方の壁面４ａ（ベース２）に対して付勢された状態で配置されている。なお、回折格子ＡＳＳＹ４０は、レーザ光の光路Ｌ上であって、その軸線に対して直交する方向に配置されており、レーザ光は、回折格子４１を通過するようになっている。【００１９】
図３に示すように、保持体１５は、中央部に開口１５ａを有する本体１６を備えている。本体１６は、板状の弾性を有する金属材料で形成されており、当該弾性でもって回折格子ＡＳＳＹ４０をベース２に対して付勢するようになっている。また、本体１６は、上部が折り曲げられて形成された上部折り曲げ片１７と、下部がそれぞれ反対方向に折り曲げられて形成された下部内側折り曲げ片１８及び下部外側折り曲げ片１９と、を備えている。また、上部折り曲げ片１７には連続して２つの開口部１７ａ、１７ｂが形成されている。また、下部内側折り曲げ片１８には、工具挿入用の溝部１８ａが形成されている。【００２０】
また、図２に示すように、保持体１５は、空間部４において、上部折り曲げ片１７が下側に、本体１６が空間部４の内部にそれぞれ配置され、下部外側折り曲げ片１９が空間部４を形成する他方の壁面４ｂの上部に係合して取り付けられている。また、この下部外側折り曲げ片１９が他方の壁面４ｂの上部に係合して取り付けられているとともに、保持体１５そのもののもつ弾性力によって本体１６がベース２に対して水平方向（図１中、Ｘ方向）に移動可能に保持される。【００２１】
一方、図４に示すように、回折格子ＡＳＳＹ４０は、レーザ光が通過する回折格子４１とホルダ４２とから構成され、当該回折格子４１は外周縁に設けられる略円環状のホルダ４２によって固定されている。ホルダ４２は、中央部に円筒状の突出部４３を有するように、その断面がフランジ状に形成されている。また、突出部４３の外周部には、所定の間隔を有してその周方向に突出する複数の突起４４が設けられている。また、ホルダ４２の上部には、一対の突起４５で形成される工具挿入用凹部４６が形成されている。【００２２】
そして、上記に示す保持体１５と回折格子ＡＳＳＹ４０とは、図５に示すように組み合わされた状態で空間部４に配置される。具体的には、保持体１５の開口１５ａに、回折格子ＡＳＳＹ４０の突出部４３が嵌合するようになっており、回折格子ＡＳＳＹ４０は、回折格子ＡＳＳＹ４０の突起４４部分によって保持体１５の開口１５ａに対してずれを生じることなくぴったり嵌合するようになっている。また、工具挿入用凹部４６が上部折り曲げ片１７の一方の開口１７ａに臨むようになっている。【００２３】
また、保持体１５と回折格子ＡＳＳＹ４０とが空間部４に配置される際には、図２に示すように、図５中に示す保持体１５と回折格子ＡＳＳＹ４０の上下が逆になって配置される。【００２４】
なお、本実施形態の光ピックアップＰは、本願の光ピックアップ装置を構成するとともに、本実施形態の開口１５ａは、本願の第１の保持手段を構成する。また、本実施形態の下部外側折り曲げ片１９は、本願の第２の保持手段を構成するとともに、本実施形態の下部折り曲げ片１８及び溝部１８ａは、本願の本体移動手段を構成する。【００２５】
−回折格子の位置調整−
次に、回折格子の位置調整について説明する。【００２６】
空間部４に保持体１５によって回動可能に保持された回折格子ＡＳＳＹ４０は、光ピックアップＰの製造過程において、良好な回折状態を得るように、回折格子４１が固定されている回折格子ＡＳＳＹ４０の位置が調整される。【００２７】
まず、回折格子ＡＳＳＹ４０を回転させてレーザ光の回折状態を良好に調整する場合には、例えば、図５に示すように、先端がＵ字状の工具２０が用いられて回折格子ＡＳＳＹ４０の位置が調整される。具体的には、工具２０の一方の先端２０ａを上部折り曲げ片１７に形成された一方の開口１７ｂに挿入し、他方の先端２０ｂを他方の開口１７ａに挿入してその先端２０ｂを工具挿入用凹部４６に押し当て、一方の先端２０ａを軸として、他方の先端２０ｂを回転させる。【００２８】
これにより、他方の先端２０ｂを回転させる作業が安定して行えるので、回折格子を回転させてレーザ光の回折状態を良好に調整する際の、回折格子ＡＳＳＹ４０の回転角の微調整が容易に行える。なお、単にドライバーなどの工具を用いて、その先端を工具挿入用凹部４６に押し当て、工具挿入用凹部４６を形成する一対の突起４５のどちらか一方側に力を加えて、回折格子ＡＳＳＹ４０を回転させるようにしても構わない。【００２９】
また、レーザ光を回折格子ＡＳＳＹ４０の回折格子４１の適切な位置（例えば、中心）に合わせるべく、回折格子ＡＳＳＹ４０をベース２に対して水平方向に移動させる場合には、例えば、工具挿入用の溝部１８ａと対向して形成されているベース２の溝部２ａに工具２５の本体２６を配置し、工具挿入用の溝部１８ａに工具２５の先端２７を配置して、ベース２の溝部２ａを支点として工具２５の先端２７を下部内側折り曲げ片１８の左右どちらか一方に力を加え保持体１５の本体１６を移動させる。【００３０】
これにより、工具２５の先端を下部内側折り曲げ片１８の左右どちらか一方に力を加える作業が安定して行えるので、保持体１５をベース２に対して水平方向に移動させて、レーザ光を回折格子４１の中心に合わせる際の、保持体１５の本体１６の移動量の微調整が容易に行える。なお、単にドライバーなどの工具を用いて、その先端を工具挿入用切溝１８ａに挿入して、下部内側折り曲げ片１８の左右どちらか一方に力を加え、保持体１５をベース２に対して水平方向に移動させるようにしても構わない。【００３１】
以上に説明したように回折格子ＡＳＳＹ４０は、光ピックアップＰのベース２に対して付勢された状態でレーザ光の光軸方向に対して直交するように保持体１５によって回動可能に保持されているとともに、保持体１５のもつ弾性力と下部外側折り曲げ片１９によって保持体１５の本体１６がベース２に対して水平方向に移動可能に保持されている。また、下部内側折り曲げ片１８及び溝部１８ａを用いることによって、保持体１５の本体１６をベース２に対して水平方向に移動させることが可能となっている。【００３２】
よって、回折格子ＡＳＳＹ４０をベース２に対して取り付けた状態で回転させてレーザ光の回折状態が良好になるように回折格子ＡＳＳＹ４０の回転角を調整することが可能となっているとともに、回折格子ＡＳＳＹ４０をベース２に対して水平方向に移動して、レーザ光を回折格子ＡＳＳＹ４０の回折格子４１の中心に合わせるべく回折格子ＡＳＳＹ４０の位置を調整することが可能となっている。【００３３】
次に、保持体の他の実施形態について説明する。【００３４】
図７に示すように、保持体１５の開口１５ａの下部を上方に湾曲させて、当該開口１５ａの下部から上方内側（中心方向）に突出する突出部３０を形成するようにしても構わない。【００３５】
このようにすれば、回折格子ＡＳＳＹ４０を保持体１５に取り付けた際に、当該保持体１５の開口１５ａ下部に形成されている突出部３０によって、前記回折格子ＡＳＳＹ４０の突出部４３が開口１５ａの中心方向に付勢されるので、前記回折格子ＡＳＳＹ４０を前記保持体１５の開口１５ａにがたつきなく取り付けられる。【００３６】
なお、回折格子ＡＳＳＹ４０を保持体１５に取り付ける際には、保持体１５の開口１５ａに形成された突出部３０を下方に撓ませた状態で保持体１５の開口１５ａに回折格子ＡＳＳＹ４０の突出部４３が挿入されて取り付けられる。【００３７】
なお、本実施形態は一形態であって、この形態に限定されるものではない。例えば、また、突出部３０は必ずしも開口１５ａの下方に設けられていなくてもよく、回折格子ＡＳＳＹ４０を保持体１５に取り付けた際に、前記回折格子ＡＳＳＹ４０の突出部４３が開口１５ａの中心方向に付勢されていればよい。
【図１】
2007114004.tif 000003
【図２】
2007114004.tif 000004
【図３】
2007114004.tif 000005
【図４】
2007114004.tif 000006
【図５】
2007114004.tif 000007
【図６】
2007114004.tif 000008
【図７】
2007114004.tif 000009
【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
光ピックアップ用のベースに取り付けられる回折格子の保持体であって、
前記保持体は、
前記光ピックアップによって出射されるレーザ光の光路上に配置される本体を備え、
前記本体には、
前記回折格子を回転可能に保持する第１の保持手段としての孔部と、
前記ベースと係合し、前記本体を前記光路に対して直交する方向に移動させることを可能とする第２の保持手段と、
前記本体を移動させる工具と係合する溝部と、
が形成されていることを特徴とする保持体。
【請求項２】
前記孔部には、
前記回折格子が前記本体に保持された状態で、前記回折格子の中心方向に前記回折格子を付勢する突出部が形成されていることを特徴とする請求項１に記載の保持体。
【請求項３】
前記孔部は、板状の前記本体の中央に形成され、
前記第２の保持部は、前記本体の上部が折り曲げられて形成された上部折り曲げ片と、下部が前記上部折り曲げ片とは反対方向に折り曲げられて形成された下部内側折り曲げ片及び下部外側折り曲げ片とから構成され、
前記溝部は、前記下部内側折り曲げ片に形成され、
前記保持体は、前記ベースに形成された空間部を形成する一方の壁面の下部に前記上部折り曲げ片が配置され、前記ベースに形成された空間部を形成する他方の壁面の上部に前記下部外側折り曲げ片が係合して取り付けられることを特徴とする請求項２に記載の保持体。
【請求項４】
請求項３に記載の保持体を含むピックアップ装置であって、
前記回折格子は、レーザ光が通過するレンズと、当該レンズの外周縁に設けられ中央部に円筒状の突出部を有するホルダを有し、
前記ホルダの上部には、一対の突起で形成される工具挿入用凹部が形成され、
前記回折格子は、前記孔部に前記突出部が嵌合するようになっており、前記工具挿入用凹部は前記上部折り曲げ片に臨むように位置されることを特徴とするピックアップ装置。
【請求項５】
請求項４に記載のピックアップ装置における、レーザ光に対する回折格子の位置を調整する回折格子の位置調整方法において、
工具を前記溝部に係合させて、当該溝部の左右どちらか一方の壁面を押圧し前記本体を前記光路に対して直交する方向に移動させる回折格子移動工程と、
工具を前記工具挿入用凹部に係合させて、一対の突起のいずれか一方側を押圧し前記回折格子を回転させる回折格子回転工程と、
を含むことを特徴とする回折格子の位置調整方法。
【手続補正２】
【補正対象書類名】明細書
【補正対象項目名】０００２
【補正方法】変更
【補正の内容】
【０００２】
径方向でレーザ光の照射位置を微調整する必要性が生じている。
［０００８］
そこで、このような課題の一例を解消するために、本願は、簡易な構成でレーザ光の回折状態を調整する保持体等を提供することを目的とする。
課題を解決するための手段
［０００９］
上述した課題を解決するため、本願請求項１に記載の保持体は、光ピックアップ用のベース（２）に取り付けられる回折格子（４１）の保持体（１５）であって、前記保持体は、前記光ピックアップによって出射されるレーザ光の光路（Ｌ）上に配置される本体（１６）を備え、前記本体には、前記回折格子を回転可能に保持する第１の保持手段としての孔部（１５ａ）と、前記ベースと係合し、前記本体を前記光路に対して直交する方向に移動させることを可能とする第２の保持手段（１９）と、前記本体を移動させる工具と係合する溝部（１８ａ）と、が形成されていることを特徴とする。
［００１０］
また、本願請求項４に記載のピックアップ装置は、請求項３に記載の保持体を含むピックアップ装置であって、前記回折格子は、レーザ光が通過するレンズと、当該レンズの外周縁に設けられ中央部に円筒状の突出部を有するホルダを有し、前記ホルダの上部には、一対の突起で形成される工具挿入用凹部が形成され、前記回折格子は、前記孔部に前記突出部が嵌合するようになっており、前記工具挿入用凹部は前記上部折り曲げ片に臨むように位置されることを特徴とする。
［００１１］
さらに、本願請求項５に記載の回折格子の位置調整方法は、請求項４に記載のピックアップ装置における、レーザ光に対する回折格子の位置を調整する回折格子の位置調整方法において、工具を前記溝部に係合させて、当該溝部の左右どちらか一方の壁面を押圧し前記本体を前記光路に対して直交する方向に移動させる回折格子移動工程と、工具を前記工具挿入用凹部に係合させて、一対の突起のいずれか一方側を押圧し前記回折格子を回転させる回折格子回転工程と、を含むことを特徴とする。
図面の簡単な説明
［００１２］
［図１］光ピックアップの概略構造図である。
［図２］回折格子を空間部に取り付けた際の状態を示す断面図である。
［図３］保持体の構造を示し、図３（ａ）は正面斜視図、図３（ｂ）は背面斜視図である。
［図４］回折格子の構造を示し、図４（ａ）は正面斜視図、図４（ｂ）は背面斜視図である。
［図５］回折格子を保持体に組み付けた際の状態を示し、図５（ａ）は正面斜視図、図５（ｂ）は背面斜視図である。
［図６］回折格子の位置を調整する際の説明図である。
［図７］保持体の他の実施形態を示す構造図である。
符号の説明
［００１３］
Ｐ  光ピックアップ
２  ベース
【国際調査報告】
2007114004.tif 000010
2007114004.tif 000011
2007114004.tif 000012
2007114004.tif 000013